(57)【要約】      （修正有）【課題】ルータ用刃物を取付けたときゼロ設定作業を行えば、途中で電源がオフしたかどうかに関らず、デジタル表示が切込深さに等しいストッパポールの位置で、本体にストッパポールを固定するだけで、所定の切込深さが得られるルータを提供する。【解決手段】本体４に対するストッパポール９の位置を検出するための検出手段として、絶対位置検出器を用い、ストッパポールの任意の位置をゼロとする相対位置を表示可能とし、相対位置ゼロの位置の絶対位置検出器の値を記憶する手段を備えた。【選択図】  図１
2007203675.tif 000002
【特許請求の範囲】
【請求項１】
開口部と被削材上を摺動する摺動面とを備えるベースと、該摺動面の反被削材側において該摺動面に垂直の方向に上下動可能に支持され、電動機を内蔵し、該摺動面に略垂直の方向であって該ベースへ向かう方向へ該電動機から延出する出力軸を有する本体と、該出力軸の端部に装着され、該電動機が駆動することにより回転する刃物と、該摺動面に垂直の方向へ該本体又は該ベースに対して相対的に移動可能に支持され、一端が該ベースに当接可能なストッパポールと、該本体に対する該ストッパポールの位置を検出するための検出手段と、該検出手段によって検出された該ストッパポールの位置をデジタル表示するデジタル表示手段とを備え、該開口部は該ベースを貫通して該被削材側と反被削材側とに開口し、該刃物は、該本体の上下動により該ベースの該摺動面よりも該被削材側に該開口部から突出可能なルータにおいて、該本体に対する該ストッパポールの位置を検出するための検出手段として、絶対位置検出器を用い、ストッパポールの任意の位置をゼロとする相対位置を表示可能とし、該相対位置ゼロの位置の該絶対位置検出器の値を記憶する手段を備えたことを特徴とするルータ。
【請求項２】
電動機から延出する出力軸の刃物装着側の端面が、該ベースの被切削材と接触する側の位置と一致するときの、該ストッパポールがベースに当接する位置を絶対位置検出器のゼロの位置としたことを特徴とする請求項１のルータ。
【請求項３】
予め記憶させた、刃物の端面と電動機から延出する出力軸に刃物を装着したときの絶対位置検出器のゼロ位置との寸法を基に、該刃物の端面が該ベースの被切削材と接触する側の位置と一致するときの、該ストッパポールがベースに当接する位置を相対的ゼロとすることを特徴とする請求項１及び２のルータ。
【請求項４】
刃物の個体識別手段と、該刃物の端面と電動機から延出する出力軸に刃物を装着したときの絶対位置検出器のゼロ位置との寸法を入力する手段と、該刃物の個体識別コードを指示する手段を備え、該刃物の端面が、該ベースの被切削材と接触する側の位置と一致するときの、該ストッパポールがベースに当接する位置を相対的ゼロとすることを特徴とする請求項３のルータ。
【請求項５】
デジタル表示手段としてＬＣＤモジュールを用い、一定時間経過しても、表示内容に変化がないとき、該ＬＣＤモジュールの表示を消すことを特徴とする請求項３のルータ。
【発明の詳細な説明】
【技術分野】
【０００１】
本発明はルータに関し、特に、本体をベースに対して相対的に移動させることによって刃物の被削材への切込深さを調整することができる（フランジ）ルータに関する。
【背景技術】
【０００２】
ルータは、木材等の被削材に細長い溝や、縁や、様々な形状を加工するための電動工具として知られている。加工形状は、ルータ用刃物の種類や形状と、該ルータ用刃物の被切削材に対する垂直方向への移動によってもたらされる切込深さと、該ルータ用刃物の被切削材に対する水平方向の移動軌跡で、形成される。
【０００３】
ルータは、上記機能の実現のため、ベースと本体とを備え、該ベースは開口部を有し、被削材上を摺動可能であり、該ベース上には２本の円柱部材たるコラムが垂直に起立していて、該本体は、コラムによってベースの摺動面に対して垂直に上下動自在に挿通支持されており、コラムに縮装された少なくとも１つのスプリングによって常時上方へ、即ちベースから本体へ向う方向へ付勢されている。本体には電動機が内蔵されており、電動機から垂直下方へ、即ち本体からベースへ向う方向へ延出する出力軸（モータ軸）の下端には、コレットチャックを介してルーター用刃物（ルータビット）が着脱可能に装着されている。前記開口部は前記ベースを貫通して被削材側と反被削材側とに開口し、前記ルータ用刃物は、前記本体の上下動により該ベースの該摺動面よりも該被削材側に該開口部から突出可能になっている。
【０００４】
上記構造のルータでは、ルータ用刃物は、上記電動機の運転により回転を付与されて被切削材加工を可能にし、ルータ用刃物の垂直方向移動は、本体をベースに向かって垂直方向へ押下げることで行い、水平方向の移動は、被削材上を摺動可能であるベースを被切削材上を摺動させることで、ルータ全体を水平方向に被切削材上を摺動させることで行っている。
【０００５】
また、一般に、本体に垂直に上下動自在に挿通支持され、その下端がベースの本体側の面に設けた突き当て台に突当るストッパポールと、該ストッパポールを本体に設けられた蝶ボルトで締め付けて本体に対して固定する垂直方向の切込深さ調整機構を設け、切込深さを調整できるようになっている。
【０００６】
切込深さ調整作業は、ルータ用刃物のベースの被切削材摺動面からの突出量なので、切込深さと同じ長さ分、ベースの被切削材摺動面からルータ用刃物が突出した位置で、ストッパポールがベースの突き当て台に当接するように蝶ボルトで本体に締め付け締め付けで該ストッパポールを本体に対して固定する作業である。
【０００７】
また本体にロックレバーを設け、コラムに本体を固定し、本体のベースに対する位置が固定できるようになっている。このロックレバーは、操作する人が必要に応じて、本体のベースに対する位置を固定するのに用いる。
【０００８】
以上のような構造のルータで加工する典型的な、ストレートビットを使用して図２に示す被切削材に長穴を加工するときの操作の例を以下説明する。溝の深さはルータ用刃物の長さより浅く、ルータ用刃物はコレットチャックに装着済、本体のベースに対する位置は、ルータ用刃物の先端がベース摺動面から突出していない位置にあり、ストッパポールは、本体にもベースにも拘束されず突き当て台に当接しているとする。
【０００９】
まず、切込深さの調整作業を行う。
【００１０】
次に、ロックレバーを操作して本体をコラムに固定していたのを解除すると、本体はスプリングによって常時上方へと付勢されているため、ベースからさらに離れ、ルータ用刃物は被切削材の表面から距離をおくことになる。
【００１１】
電動機をオンにし、ルータ用刃物を回転させた状態で、本体をストッパポールの下端がベースの突き当て台に接触してそれ以上下降しない位置まで下降させる。この位置で、ロックレバーを回して本体をコラムに固定すると次の作業がやり易い。
【００１２】
ルータ全体を被切削材の上を加工する溝の方向に、溝の長さの距離を横移動させる。以上で、深さがルータ用刃物の長さより浅い溝の加工は終わりである。
【００１３】
次に、ロックレバーを操作して本体をコラム固定していたのを解除し、本体を少なくともルータ用刃物が被切削材表面の位置まで上昇させる。このとき、本体はスプリングによって常時上方へと付勢されているため、本体を上昇させるのが簡単になっている。この作業は、ルータを溝加工していない場所に横移動又は載せることができるようにするためである。
【００１４】
以上で、図２に示したような長穴の加工が終わる。次に、ストッパポールの相対的な移動量を利用する方法による切込深さの調整法について説明する。
【００１５】
ストッパポールの相対的な移動量を利用する方法による切込深さの調整は、ルータ用刃物が被切削材の上面に当接したとき、突き当て台とストッパポールの下端とが当接するストッパポールの本体に対する移動量を基準（ゼロ）とし、その位置から切込深さに相当するストッパポールの本体に対する移動量の分だけストッパポールの下端が突き当て台より上昇させた位置で、ストッパポールを本体に設けられた蝶ボルトを締め付けて本体に固定することによってなされる。
【００１６】
従来の切込深さ調整機構の第１の例として、例えば、特許文献１に示されているように、本体のストッパポールの近くに、ストッパポールの移動量を示すスケールを設け、ストッパポールには、これに沿って上下に移動可能なデプスマーカを取り付けたルータがある。
【００１７】
この構造のルータの切込深さの調整は、まず、ルータを被切削材の上に載せ、本体をベースに向って押下げてルータ用刃物の先端が被切削材に当接した位置で本体をロックレバーでコラムに固定し、次に、ストッパポールをベースの突き当て台に当接させた状態で前述のスケールのゼロをストッパポールのデプスマーカに一致するように、該スケールを動かして、一致した位置でスケールを本体に固定する。
【００１８】
次に、前述のストッパポールを動かして、該ストッパポールのデプスマーカが、前記スケールの目盛の切込深さの値を指し示す位置で、蝶ボルトを締付けて、該ストッパポールを本体に固定することで切込深さ調整を行う。
【００１９】
また、従来の切込深さ調整機構の第２の例として、ストッパポールの位置をデジタル表示器に表示するようにしたルータがある。
【００２０】
第２の例のルータは、ストッパポールが本体に対し移動したとき、少なくとも移動量表示の分解能の４倍以下の間隔で、２相パルスを出力するエンコーダと、ストッパポールの移動量をデジタル表示するＬＣＤ（液晶表示装置）と、ルータの操作者が指示するためのゼロ指示スイッチとを備え、該エンコーダの出力と該ゼロ指示スイッチの状態を入力し、該エンコーダの出力した２相パルスを計数し、該ストッパポールの位置を算出して該ＬＣＤに表示させる手段を有しているデジタル表示器付ルータである。
【００２１】
かかるデジタル表示器付ルータの切込深さ調整作業は、まず、ルータを被切削材の上に載せ、ストッパポールをベースの突き当て台に当接させた状態で本体をベースに向って押下げてルータ用刃物の先端が被切削材に当接した位置でゼロ指示スイッチを押して、ＬＣＤの表示をゼロにする。
【００２２】
次に、前述のストッパポールを動かして、ＬＣＤの表示している数字が切込深さの値を指し示す位置で、蝶ボルトを締付けて、該ストッパポールを本体に固定することで切込深さ調整を行う。
【特許文献１】特願２００５−１５１３４９
【発明の開示】
【発明が解決しようとする課題】
【００２３】
上記した従来の第１の例のルータでは、ストッパポールの移動量を示すスケールをを動かして、一致した位置で固定するゼロ調整を行い、次に、ストッパポールを動かして、該ストッパポールのデプスマーカが、前記スケールの目盛の切込深さの値を指し示す位置で、蝶ボルトを締付けて、該ストッパポールを本体に固定することで切込深さ調整を行うという煩雑な作業であった。
【００２４】
第２の例のデジタル表示器付ルータでは、第１の例のルータの煩雑な作業は改善され、ゼロ指示スイッチを押すだけでゼロ調整を行えるが、ストッパポールが移動した量を２相エンコーダで検出し、その２相パルスを計数し、表示単位に見合った移動量に変換し、ＬＣＤ（液晶表示装置）に表示させる手段を採っているため、電源を投入する度にゼロ設定作業を行う必要があるという欠点があった。
【００２５】
本発明の目的は、上記従来の欠点を解消し、ルータ用刃物を取付けたときゼロ設定作業を行えば、途中で電源がオフしたかどうかに関らず、デジタル表示が切込深さに等しいストッパポールの位置で、本体にストッパポールを固定するだけで、所定の切込深さが得られるルータを提供することである。
【課題を解決するための手段】
【００２６】
上記目的は、本体に対するストッパポールの位置を検出するための検出手段として、絶対位置検出器を用い、ストッパポールの任意の位置をゼロとする相対位置を表示可能とし、該相対位置ゼロの位置の該絶対位置検出器の値を記憶する手段を備えるという構成とすることにより達成することができる。
【００２７】
また、電動機から延出する出力軸のルータ用刃物装着側の端面が、該ベースの被切削材と接触する側の位置と一致するときの、該ストッパポールがベースに当接する位置を絶対位置検出器のゼロの位置とすることが、好ましい。
【００２８】
また、予め記憶させた、ルータ用刃物の端面と電動機から延出する出力軸にルータ用刃物を装着したときの絶対位置検出器のゼロ位置との寸法を基に、該ルータ用刃物の端面が該ベースの被切削材と接触する側の位置と一致するときの、該ストッパポールがベースに当接する位置を相対的ゼロとすることが、好ましい。
【００２９】
また、ルータ用刃物の個体識別手段と、該ルータ用刃物の端面と電動機から延出する出力軸にルータ用刃物を装着したときの絶対位置検出器のゼロ位置との寸法を入力する手段と、該ルータ用刃物の個体識別コードを指示する手段を備え、該ルータ用刃物の端面が、該ベースの被切削材と接触する側の位置と一致するときの、該ストッパポールがベースに当接する位置を相対的ゼロとすることが、好ましい。
【００３０】
また、一定時間経過しても、表示内容に変化がないとき、ＬＣＤモジュールの表示を消すことが、好ましい。
【発明の効果】
【００３１】
本発明によれば、ルータ用刃物を取付けたときゼロ設定作業を行えば、途中で電源がオフ状態になったかどうかに関らず、そのルータ用刃物での作業中はゼロ設定作業を省略でき、単にデジタル表示の値が切込深さの値になる位置にストッパポールの位置を合せてストッパポールを本体に固定するだけで、所望の切込深さを得る事ができる。
【００３２】
請求項２記載のルータによれば、電動機から延出する出力軸のルータ用刃物装着側の端面が、該ベースの被切削材と接触する側の位置と一致するときの、該ストッパポールがベースに当接する位置を絶対位置検出器のゼロの位置としているため、ルータ用刃物を取付け、該ルータ用刃物の端面が該ベースの被切削材と接触する位置で、ストッパポールがベースに当接する位置にしたとき絶対値を表示しているデジタル表示器の値は、ルータ用刃物の取付け寸法を示すので、ルータ用刃物の取り付け寸法を簡単に測定できる。
【００３３】
請求項３記載のルータによれば、予め記憶させた、ルータ用刃物の端面と電動機から延出する出力軸にルータ用刃物を装着したときの絶対位置検出器のゼロ位置との寸法を基に、該ルータ用刃物の端面が該ベースの被切削材と接触する側の位置と一致するときの、該ストッパポールがベースに当接する位置を相対的ゼロとすることにしたため、ルータ用刃物を取り付け、該ルータ用刃物の端面が該ベースの被切削材と接触する位置で、ストッパポールがベースの突き当て台に当接する位置にしたとき相対値を表示しているデジタル表示器の値は、そのままゼロ設定値とおなじになるので、ゼロ設定作業を省略できる。
【００３４】
請求項４記載のルータによれば、ルータ用刃物の個体識別手段と、該ルータ用刃物の端面と電動機から延出する出力軸にルータ用刃物を装着したときの絶対位置検出器のゼロ位置との寸法を入力する手段と、該ルータ用刃物の個体識別コードを指示する手段を備え、該ルータ用刃物の端面が、該ベースの被切削材と接触する側の位置と一致するときの、該ストッパポールがベースに当接する位置を相対的ゼロとすることにしたため、ルータ用刃物を取付けたとき、ルータ用刃物の個体識別コード、或は寸法を入力するだけで、本体を動かしてのゼロ設定作業することなく、単にデジタル表示の値が切込深さの値になる位置にストッパポールの位置を合せてストッパポールを本体に固定するだけで、所望の切込深さを得る事ができる。
【００３５】
請求項５記載のルータによれば、一定時間経過しても、表示内容に変化がないとき、ＬＣＤモジュールの表示を消すようにしたため、ＬＣＤに同一パターンを長時間表示したときに発生する焼付け（長時間表示していたドット或はセグメントが、消灯しても薄く点灯状態になる現象）が発生しにくくなる。
【発明を実施するための最良の形態】
【００３６】
本発明ルータの一実施形態を図１〜図３を用いて説明する。
図１に示すように、ルータ１は、図示せぬ被削材上を摺動する摺動面２ａを有する水平なベース２を備えており、ベース２上には２本の円筒状のコラム３が互いに平行を成して垂直に起立している。コラム３には本体４がベース２の摺動面２ａに対して垂直に上下動自在に挿通支持されている。
【００３７】
本体４は、コラム３に沿って上下動自在に支持されており、一方（図１の左側）のコラム３内と本体４内に縮装されたスプリング５によって常時上方へと付勢されている。ベース２及びコラム３に対する本体４の固定は、本体４に設けられたロックレバー６を回して本体４を一方（図１の左側）のコラム３に固定することによってなされる。
【００３８】
本体４には図示せぬ電動機が内蔵されており、図示せぬ電動機から垂直下方へ延出する図示せぬ出力軸（モータ軸）の下端には、図１に示されるように、コレットチャック７を介してルータ用刃物（ルータビット）８が着脱可能に装着されている。
【００３９】
本体４の他方（図１の右側）のコラム３が設けられた側には、ストッパポール９が組み込まれたデジタル表示ユニット１０が設けられている。デジタル表示ユニット１０は、ビス１１によって本体４に取り付けられたカバー１２によってその周囲が覆われている。そしてストッパポール９の本体４に対する固定は、本体４に設けられた蝶ボルト１３による締め付けによってなされる。
【００４０】
デジタル表示ユニット１０の正面には、図３に詳細に示すように表示部が設けられており、この表示部には、ストッパポール９の位置をデジタル表示するためのＬＣＤ（液晶表示装置）１４と、ＯＮ／ＯＦＦスイッチ１５、ゼロ設定スイッチ１６、絶対値／相対値切替スイッチ１７、メニュースイッチ１８及び表示情報切替及び情報入力キー１９が設けられている。ＬＣＤ（液晶表示装置）１４には、位置表示、ビット識別コード表示、ビット情報表示、メニュー表示、入力のための数値表示、等状況に応じた情報が表示できる。
【００４１】
ＯＮ／ＯＦＦスイッチ１５は、表示をする／しないを切り替えるスイッチである。ゼロ設定スイッチ１６は、ＬＣＤ１４にデジタル表示される数値を「０」にリセットするためのスイッチである。絶対値／相対値切替スイッチ１７はストッパポールの位置表示を予め定められたルータ固有の位置をゼロ基準（絶対値）にするか、設定したゼロ基準（相対値）にするかを選択するスイッチである。電源投入の直後は、図示せぬ記憶装置のゼロ設定位置を記憶している領域がゼロのとき絶対値表示、それ以外は、ゼロ位置設定値の記憶内容を基準とする相対値表示になる。メニュースイッチ１８は、メニュー選択処理モードにするスイッチである。このスイッチが押され、メニュー選択処理に入ると、表示情報切替及び情報入力キー１９が有効になる。
【００４２】
デジタル表示ユニット１０のカバー１２内にストッパポール９が垂直方向に移動可能に挿通支持されている。ストッパポール９には、最小表示単位以下のピッチで位置コードが書込まれたスケールが取付けられており、カバー１２にはスケールの位置コードを検出するコード検出器が備えられている。スケールとコード検出器は絶対位置検出器を形成する。図示せぬマイクロプロセッサは表示の書換えが必要な任意のタイミングで絶対位置検出器の出力を読込むことにより、ストッパポールの位置情報を検出できる。２相エンコーダでは、常に２相の信号状態を監視し、信号の変化がある度に記憶位置の更新をするのに比べ、マイクロプロセッサの位置情報を得るための処理負担は軽くなる。
【００４３】
ベース２上のストッパポール９の下方位置には、ストッパポール９の下端が当接するための突き当て台２０が設けられている。
【００４４】
以上のような構造のデジタル表示器付ルータで加工する典型的な、ストレートビットを使用して図２に示す被切削材に長穴を加工するときの操作の例を以下説明する。溝の深さはルータ用刃物８の長さより浅く、ルータ用刃物８はコレットチャック７に装着済、本体４のベース２に対する位置は、ルータ用刃物８の先端がベース摺動面２ａから突出していない位置にあり、ストッパポール９は、本体４にもベース２にも拘束されず突き当て台２０に当接しているとする。
【００４５】
先ず、電源コードを電源コンセントに入れ、    デジタル表示ユニット１０の電源をオンにする。このとき図示せぬ電動機はオフで、ルータ用刃物８は回転していない。
【００４６】
次に、ゼロ設定作業を行う。ゼロ設定作業の詳細は後述する。すでにゼロ設定が成されているときはこの作業は省略できる。
【００４７】
ゼロ設定が成されているときは、ＬＣＤ１４に表示される数値を見ながらその値が所望の切込深さに一致するまでストッパポール９を上下動させ、デジタル表示と所望の切込深さとが一致した時点で蝶ボルト１３を締め付けてストッパポール９を本体４に固定することにより、切込深さの調整が完了する。
【００４８】
次に、穴加工作業に入る。ロックレバー６を操作して本体４を一方（図１の左側）のコラム３に固定していたのを解除すると、本体４はスプリング５によって常時上方へと付勢されているため、ベース２からさらに離れ、ルータ用刃物８は被切削材の表面から距離をおくことになる。
【００４９】
電動機をオンにし、ルータ用刃物８を回転させた状態で、本体４をストッパポール９の下端がベース２の突き当て台２０に接触してそれ以上下降しない位置まで下降させる。この位置で、ロックレバー６を回して本体４を一方（図１の左側）のコラム３に固定すると次の作業がやり易い。
【００５０】
ルータ１全体を被切削材の上を加工する溝の方向に、溝の長さの距離を横移動させる。以上で、深さがルータ用刃物８の長さより浅い溝の加工は終わりである。
【００５１】
次に、ロックレバー６を操作して本体４を一方（図１の左側）のコラム３に固定していたのを解除し、本体４を少なくともルータ用刃物８が被切削材表面の位置まで上昇させる。このとき、本体４はスプリング５によって常時上方へと付勢されているため、本体４を上昇させるのが簡単になっている。この作業は、ルータ１を溝加工していない場所に横移動又は載せることができるようにするためである。
【００５２】
ルータ用刃物８が少なくとも被切削材の表面の位置まで上昇したのを確認して電動機をオフにし、ルータ用刃物８を回転を停止させる。  以上で、図２に示したような長穴の加工が終わる。次に、ゼロ設定作業について、説明する。
【００５３】
最初にビットの情報がなにもなく、本体４を動かしてゼロ設定いる場合を説明する。ルータ１を図示せぬ被切削材の上に載せ、本体４を下降させ、ルータ用刃物８が被切削材の表面に接触する位置で、ゼロ設定スイッチ１６を押し、デジタル表示ユニット１０の表示をゼロにする。このとき、ストッパポール９の下端は、少なくともベース２にある突き当て台２０に接触している。このとき、図示せぬマイクロプロセッサは、絶対位置検出器の出力を読込み、例えばフラッシュメモリのような電源オフ時でもデータ保存が可能な記憶装置にゼロ位置として書込んでおく。また、表示は相対値表示になる。（ゼロ設定）  以上の操作は、従来の２相エンコーダによる位置検出のデジタル表示付ルータの場合と同じであるが、本発明による場合は、電源をオフにしても、再度電源がオンしたとき、絶対位置検出器の出力を読込んで、記憶しているゼロ位置の値と比較することにより、自動的にストッパポールの現在位置を再現できる。また、記憶したゼロ位置は、ビットの取付け高さに等しいため、ビット識別符号と一緒に記憶しておくことで、次に示すように、本体４を動かさないでゼロ設定ができる。
【００５４】
次に、ビット識別符号とそのビットを取付けたときのゼロ位置を記憶させているときの、ゼロ設定方法を説明する。電源をオンにした後、メニュースイッチ１８を押すとメニュー選択処理に入る。次に、表示情報切替え及び情報入力キーを操作して、ビット識別番号によるゼロ設定を選択すると、ＬＣＤ１４には、ビット識別コードとビット情報が表示されるので、表示情報切替え及び情報入力キーを操作して、該当するビット識別コードを選択すると、ＬＣＤ１４には選択したビットのゼロ位置を基準とするストッパポール９の相対値が表示され、相対値表示になって、ゼロ設定作業が終了する。
【００５５】
ビット識別コードとそのビットを取付けたときのゼロの位置の情報の入力は、前記した本体４を動かして計測して記憶させる他に、表示情報切替え及び情報入力キーを操作して数値を入力する方法もある。また、ビット流通段階で、ビットメーカから情報が提供できるようにすれば、例えば、バーコード読取装置を付加し、ビット梱包材に印刷したバーコードによって入力できるようにすることもできる。ビットメーカからの情報提供は、バーコードだけでなく、ＩＣタグなど、も考えられる。
【００５６】
すでにゼロ設定を終えたビットが装着されていて、電源をオフにした後に、再び装着しているビットで作業を行う場合は、電源を投入するだけで、以前のゼロ設定になっているので、何もしないで、すぐに、切込深さ設定作業を行える。
【図面の簡単な説明】
【００５７】
【図１】本発明ルータの一実施形態を示す正面図。
【図２】本発明ルータで加工する典型的な被切削材の１加工例。
【図３】本発明ルータのデジタル表示ユニットの１例。
【符号の説明】
【００５８】
１はルータ、２はベース、３はコラム、４は本体、５はスプリング、６はロックレバー、７はコレットチャック、８はルータ用刃物、９はストッパボール、１０はデジタル表示ユニット、１１はビス、１２はカバー、１３は蝶ボルト、１４はＬＣＤ（液晶表示装置）、１５はＯＮ／ＯＦＦスイッチ、１６はゼロ設定スイッチ、１７は絶対値／相対値切替スイッチ、１８はメニュースイッチ、１９は表示情報切替及び情報入力キー、２０は突き当て台である。
【図１】
2007203675.tif 000003
【図２】
2007203675.tif 000004
【図３】
2007203675.tif 000005